(57)【要約】【課題】様々な形状の竪樋を壁に固定する場合に適用できると共に、竪樋支持具の抱持部が竪樋の正面に表出せず、竪樋を強固に建物に固定することができる竪樋支持具を提供する。【解決手段】取付脚部１１の一端に略コ字状の抱持片１２を備えた合成樹脂製の竪樋支持具において、前記抱持片の先端部１３、１３内面側に、係止爪１４、１４を有する金属製のライナー部材１５、１５が設けられていることを特徴とする竪樋支持具１。【選択図】  図１
2005016253.tif 000002
【特許請求の範囲】
【請求項１】
取付脚部の一端に略コ字状の抱持片を備えた合成樹脂製の竪樋支持具において、前記抱持片の先端部内面側に、係止爪を有する金属製のライナー部材が設けられていることを特徴とする竪樋支持具。
【発明の詳細な説明】
【０００１】
【発明の属する技術分野】
本発明は、竪樋を建物の壁面などに取付ける竪樋支持具に関するものである。
【０００２】
【従来の技術】
近年、建物に竪樋を取り付けるにあたり、竪樋支持具が竪樋の前面に表われないようにして建物の美観が少しでも損なわれないようにすることが望まれて来ている。
このため、竪樋支持具が竪樋の前面に表われないような工夫が成されている竪樋の取付構造、もしくは竪樋支持具として、いくつかの提案が成されている。
【０００３】
その一つとして、取付脚部を中心にしてその左右対象位置に竪樋の輪郭に合わせた２本の抱持片を形成し、該抱持片の両端に、竪樋の長手方向に沿う溝部に弾性掛止する係止爪を蝶着してなる竪横保持具が提案されている（例えば、特許文献１参照）。
【０００４】
更に、相対する璧面の幅方向に対する略中央部に長手方向に沿う係止溝を形成してなる竪樋と、帯金を略コ字状に曲折して固定片の両端部に挟着片を設けてなる竪樋保持部を形成し、一方の挟着片の先端部に該挟着片の内側への曲折により係止爪を形成するとともに他方の挟着片の先端部に中間部分を内側に向けて曲折するとともにその先端部分を外側斜め方向に向けて曲折してなる係止バネ片を形成し、且つ固定片に釘杵を固定してなる竪樋固定具とからなり、前記竪樋の係止溝に、竪樋固定具の係止爪および係止バネ片を嵌着して竪樋固定具に竪樋を装着せしめてなる竪樋取付構造が提案されている（例えば、特許文献２参照）。
【０００５】
【特許文献１】
実開昭６４−３７８３０号公報（第１頁〜第４頁）
【特許文献２】
実開昭６２−１９３１８号公報（第１頁〜第６頁）
【０００６】
【発明が解決しようとする課題】
特許文献１記載の竪樋保持具は、２本の抱持片の先瑞に回動自在な蝶着部を介し、係止爪を各々形成したものであり、該係止爪が竪樋及び抱持片の弾性を利用して竪樋の縦溝部に掛止するものであり、該係止爪が竪樋の縦溝部の内底部を押圧力により掛止するが、竪樋表面を係止爪が滑りやすく、樋の固定が確実でないという問題点がある。
【０００７】
特許文献２記載の竪樋取付構造は、竪樋固定具の保持部が竪樋の正面に表出しない竪樋取付構造であり、竪樋取付構造は係止バネ片への竪樋の当接および押圧摺動により竪樋が装着され、然も、これが該係止バネ片の弾発力を利用した係止溝への嵌着および竪樋への押圧力により固定されるものである。
しかし、固定機構が当接および押圧摺動であるために、竪樋を極度に変形させることなく取付けられる利点があるが、係止バネ片が竪樋の表面を滑りやすく、竪樋の固定が確実でない。また、この方法は、竪樋に係止溝を設けることが必要で、相対する側壁面にそれぞれ係止溝が形成されている特殊形状の竪樋を建物に固定する場合にしか適用できないという問題点がある。
【０００８】
本発明は、上記従来の問題に着目し、様々な形状の竪樋を壁に固定する場合に適用できると共に、竪樋支持具の抱持部が竪樋の正面に表出せず、竪樋を強固に建物に固定することができる竪樋支持具を提供することを目的としている。
【０００９】
【課題を解決するための手段】
本発明は上記目的を達成するために行ったものであって、取付脚部の一端に略コ字状の抱持片を備えた合成樹脂製の竪樋支持具において、前記抱持片の先端部内面側に、係止爪を有する金属製のライナー部材が設けられている竪樋支持具である。
【００１０】
竪樋支持具の材質は合成樹脂が好ましく、例えば、硬質塩化ビニル樹脂、アクリル樹脂、ＦＲＰ、ポリカーボネイトのような合成樹脂の他、ポリフェニレンサルファイドやＡＥＳ樹脂等のエンジニアリングプラスチックが使用される。
【００１１】
係止爪を有するライナー部材の材質は金属である。金属としては、加工性の観点から鋼やステンレスが良い。このライナー部材は、抱持片の先端部内面側にライナーとして接着加工されることが望ましい。なお、このライナー部材は、抱持片の全体に接着加工されていても良い。竪樋支持具の材質が合成樹脂の場合、これを射出成型法で成形する際、係止爪を有する金属製のライナー部材は、インサート成形するのが好ましい。また、竪樋支持具を成形後、ライナー部材を接着加工しても良い。
【００１２】
【発明の実施の形態】
本発明の竪樋支持具の実施の形態を図面に基づいて説明する。
【００１３】
図１は、本発明の竪樋支持具を用いた竪樋の固定構造を示す説明図、図２は、図１の竪樋支持具の側面図、図３は、図１におけるＡ部の拡大図、図４は、図３の矢印方向から見た平面図である。
【００１４】
図１において、１は竪樋支持具、２は竪樋であり、両者ともに硬質塩化ビニル樹脂製のものである。
竪樋支持具１は、取付脚部１１と、これを中心に、その左右対象位置に竪樋の輪郭に合わせた略コ字状の抱持片１２を持ち、この抱持片１２の両側先端に一対の先端部１３，１３が相対向して延設されている。先端部１３，１３の内面側には、図３に示すように、ステンレス製の薄板からなるライナー部材１５，１５が接着固定されている。このライナー部材１５，１５の先端には、図４に示すように、鋸刃状の係止爪１４、１４が形成されている。なお、係止爪１４の形状は櫛状でもよい。取付脚部１１は、タッピングネジなどによって建物の外壁に固定されるようになっている。また、ライナー部材１５は、抱持片１２の先端部１３内面側に一体に埋め込まれていても良い。
【００１５】
竪樋支持具１は、抱持片１２により竪樋２の両側壁の約半分を包み込み、鋸刃状の係止爪１４、１４が竪樋２の両側壁に食い込んで係止することで、竪樋２は滑ったり、ずれたりせず、竪樋が固定されることになる。そして、竪樋支持具１の抱持片１２が竪樋２の正面に表出せず外観状の見栄えもよく、竪樋２を強固に建物に固定することができる。
【００１６】
つぎに、上記竪樋支持具１を用いて、竪樋２を建物の外壁に固定する施工方法を述べる。
まず、建物の外壁面に上下方向に所定の間隔をおいて複数の竪樋支持具１を、その取付脚部１１のビス孔を利用して、タッピングネジなどによって固定する。この後、竪樋２を竪樋支持具１の前方から抱持片１２内に押し込み、竪樋２の背面側を抱持片１２の内面側に当接させる。この結果、ライナー部材１５の鋸刃状の係止爪１４、１４が竪樋２の両側壁に食い込んで係止することで、竪樋２が固定されることになる。同様の施工作業を順次行なっていくことで、下方の竪樋支持具１についても、同様に施工され、建物の外壁に沿って竪樋２が固定される。
【００１７】
【発明の効果】
以上説明してきたように、本発明の竪樋支持具は、略コ字状の抱持片の先端部内面側に、係止爪を有する金属製のライナー部材が設けられているので、この  係止爪が竪樋の両側壁に食い込んで係止することで、竪樋は滑ったり、ずれたりせず、竪樋を強固に固定することができる。また、竪樋支持具の抱持片が竪樋の正面に表出しないので見栄えも良好である。
【図面の簡単な説明】
【図１】本発明の竪樋支持具を用いた竪樋の固定構造を示す説明図である。
【図２】本発明の竪樋支持具の側面図である。
【図３】図１におけるＡ部の拡大図である。
【図４】図３の矢印方向から見た平面図である。
【符号の説明】
１  竪樋支持具
１１  取付脚部
１２  抱持片
１３  先端部
１４  係止爪
１５  ライナー部材
２  竪樋
【図１】
2005016253.tif 000003
【図２】
2005016253.tif 000004
【図３】
2005016253.tif 000005
【図４】
2005016253.tif 000006